(57)【特許請求の範囲】
【請求項１】
複数枚のシートを互いに剥離可能に接着してなる積層構造を有し、これらシートに対して厚み方向にレーザ光を照射して形成した穴を設け、穴は複数枚のシートのうち上位の所定シートのみを貫通していることを特徴とする偽造防止用カード。
【請求項２】
複数枚のシートを互いに剥離可能に接着してなる積層構造を有し、これらシートに対して厚み方向にレーザ光を照射して形成した複数の穴を設け、これらの穴には、複数枚のシートのうち上位のシートを貫通し、最下位のシートには非貫通状態で及ぶものと、複数枚のシートのうち少なくとも最下位のシートには及ばないものとがあることを特徴とする偽造防止用カード。
【請求項３】
複数枚のシートを互いに剥離可能に接着してなる積層構造を有し、これらシートに対して厚み方向にレーザ光を照射して形成した複数の穴を設け、これらの穴には、複数枚のシートのうち上位のシートを貫通し、最下位のシートには非貫通状態で及ぶものと、複数枚のシートのうち少なくとも最下位のシートには及ばないものとがあり、これらの穴の連続的あるいは非連続的な集合体で図柄を構成し、上位のシートと下位のシートでは図柄が異なっていることを特徴とする偽造防止用カード。
【発明の詳細な説明】
【０００１】
【産業上の利用分野】
本発明は、小切手、商品券、各種証券類、各種チケット、各種抽選券等の偽造を防止することが必要なカードに関し、特に、複数枚のシートを互いに剥離可能に接着してなる積層構造の偽造防止用カードに関する。
【０００２】
【従来の技術】
従来における偽造防止用カードとしては、既に多くの構成が知られており、例えば、特殊インキを使用したり、磁気マークを刷り込んだり、蛍光物質による隠し文字を印刷したものや、いわゆるヒドンワード、具体的には、微細構成子よりなる潜像を印刷し、その潜像周囲の白地部分に潜像よりも粗または密な微細構成子を用いて印刷を施して、肉眼で観察するときは前記潜像を識別できないが、複写機により複写すると、前記潜像が明瞭に現出して警告マークを構成するもの等がある。
【０００３】
【発明が解決しようとする課題】
ところが、上述した各従来例によると、いずれの構成にあっても、最近のコンピュータやカラーコピー機を利用したデジタル加工技術の進歩に対応しきれず、偽造防止効果は十分なものとはいえないものである。本発明は、このような事情に鑑みてなされたもので、デジタル加工技術の進歩に対応して、偽造防止効果を一段と高めた偽造防止用カードを提供することを目的とする。
【０００４】
【課題を解決するための手段】
この目的を達成するために本発明の偽造防止用カードは、複数枚のシートを互いに剥離可能に接着してなる積層構造を有し、これらシートに対して厚み方向にレーザ光を照射して形成した穴を設け、穴は複数枚のシートのうち上位の所定シートのみを貫通しているものである。下位の所定シートについては、非貫通状態で穴が形成されていてもよいし、まったく形成されていなくてもよい。また、形成する穴の数は任意であり、各穴の深さについても積層状態にあるすべてのシートを貫通しない限り任意である。
【０００５】
上述した複数枚のシートに対して、厚み方向にレーザ光を照射して形成した複数の穴を設ける場合には、複数枚のシートのうち上位のシートを貫通し、最下位のシートには非貫通状態で及ぶ穴と、複数枚のシートのうち少なくとも最下位のシートには及ばない穴とを設けると好適である。例えば、シートが上位シート、下位シートの２枚の構成では、上位シートのみを貫通し下位シートには及ばない穴と、下位シートにも及ぶ穴との２種類の穴を形成する。また例えば、シートが上位シート、中位シート、下位シートの３枚の構成では、上位シートのみを貫通し、中位シートと下位シートには及ばない穴と、上位シートを貫通して中位シートに非貫通状態で及ぶ穴と、上位シートと中位シートを貫通し下位シートには及ばない穴と、上位シートと中位シートを貫通して下位シートに非貫通状態で及ぶ穴という４種類の穴を形成することができるが、これらの中から２種類以上、好ましくは３種類の穴を適宜選択して設ければよい。
【０００６】
さらに、上述のように、複数の穴を設ける場合には、これらの穴の連続的あるいは非連続的な集合体で図柄を構成し、下位のシートに及ぶ穴と、及ばない穴を組み合わせて図柄を形成することにより、この図柄が上位のシートと下位のシートでは異なるように構成すると好適である。この場合にも上述のように、穴の深度はシートの枚数に応じて適宜決定すればよい。
【０００７】
【発明の実施の形態】
以下、本発明の好適な実施形態を添付図面に基づいて詳細に説明する。ここにおいて、図１〜図４は第１実施形態を示すもので、図１は偽造防止用カードたる抽選券の概略的な平面図、図２はレーザ加工した穴の概略的な部分拡大断面図、図３は下位シートの概略的な平面図、図４はレーザ加工状態を示す概略的な説明図であり、図５，図６は第２実施形態を示すもので、図５は偽造防止用カードたる招待券の概略的な平面図、図６は控え券となる下位シートの概略的な平面図である。
【０００８】
まず、図１〜図４に基づいて第１実施形態を説明する。図２に示すように、偽造防止用カードたる抽選券１は、上位シート２と下位シート３を、好ましくは印字あるいは印刷が可能で、通常では接着せず所定の圧を加えると接着可能となり、接着後に剥離可能な感圧性接着剤４で、剥離可能に接着してなる２層構造となっている。前記感圧性接着剤４としては、感圧性で一旦接着すると剥離困難な非剥離性の接着剤基剤に、この接着剤基剤に対して非親和性を示す微粒状充てん剤を配合してなるものが好適である。
【０００９】
接着剤基剤としては、従来用いられている通常の感圧性接着剤でよいが、例えば、天然ゴムにスチレンとメタクリル酸メチルとをグラフト共重合させて得られた天然ゴムラテックスが、耐ブロッキング性、耐熱性、耐摩耗性等の点で好適である。
【００１０】
一方、微粒状充てん剤としては、接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等を挙げることができる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。
【００１１】
図１に示すように、上位シート２の表面側には、「抽選券」という表題５と「Ｎｏ．０００１２３４５６」という９桁の抽選番号６を印刷してある。また、前記上位シート２には、前記抽選番号６の桁数と同一数の９個の穴７ａ，７ｂをレーザ加工により設けている。これらの各穴７ａ，７ｂは、前記抽選番号の「０００１２３４５６」という各数字の並び順に対応して、奇数の数字に対応する穴７ａは上位シート２を貫通して下位シート３にも及ぶが、この下位シート３は貫通しないように穿設され、偶数の数字に対応する穴７ｂは上位シート２のみを貫通するよう穿設されている。
【００１２】
したがって、抽選番号６の下３桁である「４５６」に対応する左から７番目、８番目、９番目の各穴７ａ，７ｂは、図２に示すように、上位シート２のみを貫通する穴７ｂ、下位シート３にも及ぶ穴７ａ、上位シート２のみを貫通する穴７ｂの順に左から並ぶことになる。
【００１３】
各穴７ａ，７ｂの形成は、図４に示すように、レーザ発振器１０から発せられたレーザ光１１を、ビームエキスパンダー１２を経たうえ、集光レンズ１３で焦点を合わせて、抽選券１の上位シート２の表面所定位置に照射して行う。そして、抽選券１に対するレーザ光１１の透過深度を調節することにより、上位シート２のみを貫通する穴７ｂ、あるいは下位シート３にも及ぶ穴７ａを形成するものである（図２参照）。
【００１４】
本実施形態は以上のように構成したので、抽選券１の表面、すなわち上位シート２の表面には抽選番号６の各数字に対応する９個の穴７ａ，７ｂが存在してこれらを視認できる一方、その裏面、すなわち下位シート３の裏面には穴７ａ，７ｂが存在しない状態となる。そして、抽選番号６が当選番号と一致した者が商品引き換え所に抽選券１を持参すると、抽選番号６を確認した後、上位シート２を下位シート３から捲り上げて剥離し、下位シート３に抽選番号６の数字の奇数に対応する３個の穴７ａのみが存在すれば真正品、それ以外の場合には偽造品と判別できる。
【００１５】
下位シート３を貫通しないように穴７ａ，７ｂを穿設することは困難であり、特に、上位シート２のみを貫通して下位シート３には達しない穴７ａと、下位シート３にも及ぶ穴７ｂとを穿設することはレーザ加工のような精密加工可能な装置を用いなければ困難なので、偽造品製造の防止効果を十分になしうる。また、本実施形態では、抽選番号６の数字の奇数、偶数に応じて上位シート２のみを貫通し、下位シート３には達しないように穴７ａと、上位シート２のみならず下位シート３にも及ぶ穴７ｂを形成し、これらの穴７ａ，７ｂの使い分け、すなわち各穴７ａ，７ｂと抽選番号６の各数字との対応関係は、抽選券１を見ても識別不可能なので、偽造防止効果はより向上したものとなる。
【００１６】
続いて、図５及び図６に基づいて第２実施形態を説明する。偽造防止用カードたる招待券２１は、上位シート２２と下位シート２３からなり、図示していないが、これらシート２２，２３を上述した第１実施形態の感圧性接着剤４と同一構成の感圧性接着剤によって剥離可能に接着した２層構造となっている。上位シート２２の表面には、「御招待券」なる表題２４のほか、招待日情報２５、場所情報２６、上映時間情報２７を印刷するとともに、帽子を被った男性の顔である真偽識別用の図柄２８をレーザ加工により設けている。
【００１７】
控え券となる下位シート２３の表面側には、「御招待券（控）」なる表題２９のほか、招待日情報３０、場所情報３１、上映時間情報３２を、上位シート２２と接着する前にあらかじめ印刷してある。また、前記上位シート２２と接着後、図柄２８と同時にレーザ加工で形成した、帽子を被った男性の顔である真偽識別用の図柄３３を設けている。
【００１８】
これら図柄２８，３３は、上述した第１実施形態におけると同様のレーザ加工により形成するもので、レーザ光の透過深度を調節することにより、上位シート２２のみを貫通する部分と、下位シート２３にも及ぶ部分とを形成している。すなわち、図５及び図６に示すように、上位シート２２のみを貫通して下位シート２３には達しない部分は、帽子のリボンを表す線の部分と、眼鏡を表す線の部分であり、これらの部分は上位シート２２のみに表れ、下位シート２３には表れないことになる。
【００１９】
この招待券２１の使用にあたっては、会場入口で招待券２１の上位シート２２を下位シート２３から捲り上げて剥離し、両シート２２，２３の図柄２８，３３を確認して、上位シート２２の図柄２８がリボンのある帽子を被って眼鏡をかけた男性の顔であり、下位シート２３の図柄３３がリボンのない帽子を被って眼鏡をかけていない男性の顔であれば、真正な招待券２１である一方、上位シート２２の図柄２８と下位シート２３の図柄３３が同一であったり、この図柄３３が前述の特定形状のものと相違したり、下位シート２３に図柄３３が存在しない場合であれば偽造品と判別できる。
【００２０】
下位シート２３を貫通しないように図柄２８，３３を穿設することは困難であり、特に、上位シート２２のみを貫通し、下位シート２３には達しない部分と下位シート２３にも及ぶ部分とを穿設することはレーザ加工のような精密加工可能な装置を用いなければ困難であることに加え、前記下位シート２３には達しない部分と前記下位シート２３にも及ぶ部分とを使い分けることによって、上位シート２２の図柄２８と下位シート２３の図柄３３が相違したものになり、これらの図柄２８，３３の相違は招待券２１を見ても識別不可能なので、偽造防止効果はより向上したものとなる。
【００２１】
なお、本発明は上述した各実施形態に限定されるものではなく、例えば、上位シート２，２２と下位シート３，２３の２層構造で偽造防止用カード１，２１を構成するほか、３枚以上のシートを互いに剥離可能に接着した３層以上の積層構造であってもよい。また、第１実施形態にあっては、穴７ａ，７ｂを抽選番号６の各数字と関係付けることなく、１個の穴を設ける構成でもよいし、穴で文字や図柄を形成してもよい。この場合の穴は、前記穴７ａ，７ｂのいずれの構成でもよい。
【００２２】
また、第２実施形態においては、下位シート２３には図柄３３のみが存在すればよく、表題２９をはじめとする他の情報３０，３１，３２は必ずしも必要ではない。さらに、図柄２８，３３も図示のものに限られず、図形や各種文字、あるいは図形と各種文字との組み合わせでもよいものである。またさらに、偽造防止用カードとしては、抽選券１や招待券２１に限られないことはもちろんである。
【００２３】
【発明の効果】
以上説明したところで明らかなように、本願請求項１の発明によれば、複数のシートを互いに剥離可能に接着してなる積層構造のカードに、レーザ加工による穴を上位の所定シートのみを貫通するよう形成することにより、各シートを剥離することで真偽の判別を容易になし得るとともに、このような穴を形成するのはレーザ加工以外では困難なので、偽造防止機能が向上するという効果を奏する。
【００２４】
また、本願請求項２の発明によれば、レーザ加工によりシートによって異なる深度の穴を複数形成することにより、偽造防止機能がより向上するという効果を奏する。
【００２５】
さらに、本願請求項３の発明によれば、レーザ加工によりシートによって異なる図柄を形成するので、真偽の判別がより一層容易になるとともに、偽造防止機能もより一層向上するという効果を奏する。
【図面の簡単な説明】
【図１】第１実施形態を示す抽選券の概略的な平面図。
【図２】同じくレーザ加工した穴の概略的な部分拡大断面図。
【図３】同じく下位シートの概略的な平面図。
【図４】同じくレーザ加工状態を示す概略的な説明図。
【図５】第２実施形態を示す招待券の概略的な平面図。
【図６】同じく下位シートの概略的な平面図。
【符号の説明】
１      抽選券
２，２２      上位シート
３，２３      下位シート
４      感圧性接着剤
７ａ，７ｂ      穴
１０      レーザ発振器
１１      レーザ光
２１      招待券
２８，３３      図柄
【図１】
0003886369.tif 000002
【図２】
0003886369.tif 000003
【図３】
0003886369.tif 000004
【図４】
0003886369.tif 000005
【図５】
0003886369.tif 000006
【図６】
0003886369.tif 000007